(57)【要約】【課題】同一鍵を使用する２つの錠前を逆回転構造とし、且つ、２つの錠前が連動して互いの動作を拘束することで操作順序を固定化し、使用者の複雑な操作なしで不正解錠のリスクを従来よりも低減できるようにする。【解決手段】同じ鍵で施錠・解錠できるが施錠・解錠によるシリンダー１１・２１の回転方向が互いに逆回転となっている第１の錠前１０及び第２の錠前２０と、第１の錠前のシリンダー１１の回転に連動し、その解錠時には第２の錠前のシリンダー２１の回転を拘束し、施錠時には第２の錠前のシリンダー２１の回転を許容する第１の制御棒１３と、第２の錠前のシリンダー２１の回転に連動し、その解錠時には第１の錠前のシリンダー１１の回転を許容し、施錠時には第１の錠前のシリンダー１１の回転を拘束する第２の制御棒２３とを備える。【選択図】  図１
2009091845.tif 000002
【特許請求の範囲】
【請求項１】
同じ鍵で施錠・解錠できるが施錠・解錠によるシリンダーの回転方向が互いに逆回転となっている第１の錠前及び第２の錠前と、第１の錠前のシリンダーの回転に連動し、その解錠時には第２の錠前のシリンダーの回転を拘束し、施錠時には第２の錠前のシリンダーの回転を許容する第１の回転拘束手段と、第２の錠前のシリンダーの回転に連動し、その解錠時には第１の錠前のシリンダーの回転を許容し、施錠時には第１の錠前のシリンダーの回転を拘束する第２の回転拘束手段とを備えてなることを特徴とする連動式逆回転二重錠前。
【請求項２】
第１の回転拘束手段は、第１の錠前のシリンダーに連結され、該シリンダーの施錠・解錠による回転に伴い第２の錠前のシリンダーに向かって進退する第１の制御棒を有し、この第１の制御棒が進出して第２の錠前のシリンダーに設けられた第２の拘束部と係合することにより第２の錠前のシリンダーの回転を拘束し、また、第１の制御棒が後退して第２の拘束部との係合を解除することにより第２の錠前のシリンダーの回転を許容し、
第２の回転拘束手段は、第２の錠前のシリンダーに連結され、該シリンダーの施錠・解錠による回転に伴い第１の錠前のシリンダーに向かって進退する第２の制御棒を有し、この第２の制御棒が進出して第１の錠前のシリンダーに設けられた第１の拘束部と係合することにより第１の錠前のシリンダーの回転を拘束し、また、第２の制御棒が後退して第１の拘束部との係合を解除することにより第１の錠前のシリンダーの回転を許容する、
ことを特徴とする請求項１に記載の連動式逆回転二重錠前。
【請求項３】
第１の回転拘束手段は、第１の錠前のシリンダーの内筒に基端を連結され、該シリンダーの施錠・解錠による回転に伴い第２の錠前のシリンダーに向かって進退する第１の制御棒と、その先端に連結された第１の制御ピンとを有し、この第１の制御棒が進出して第１の制御ピンが第２の錠前のシリンダーの外筒と内筒の間を貫通することにより該内筒の回転を拘束し、また、第１の制御棒が後退して第２の錠前のシリンダーの内筒から抜出することにより該内筒の回転を許容し、
第２の回転拘束手段は、第２の錠前のシリンダーの内筒に基端を連結され、該シリンダーの施錠・解錠による回転に伴い第１の錠前のシリンダーに向かって進退する第２の制御棒と、その先端に連結された第２の制御ピンとを有し、この第２の制御棒が進出して第２の制御ピンが第１の錠前のシリンダーの外筒と内筒の間を貫通することにより該内筒の回転を拘束し、また、第２の制御棒が後退して第１の錠前のシリンダーの内筒から抜出することにより該内筒の回転を許容する、
ことを特徴とする請求項１に記載の連動式逆回転二重錠前。
【請求項４】
第１の制御棒は、第１の錠前のシリンダーの外筒に設けられたスリットを通じてその外方へ突出し、
第１の制御ピンは、第２の錠前のシリンダーの外筒に設けられた案内部を通じて、第２の錠前のシリンダーの内筒に設けられた第２の拘束穴に挿脱自在に挿入し、
第２の制御棒は、第２の錠前のシリンダーの外筒に設けられたスリットを通じてその外方へ突出し、
第２の制御ピンは、第１の錠前のシリンダーの外筒に設けられた案内部を通じて、第１の錠前のシリンダーの内筒に設けられた第１の拘束穴に挿脱自在に挿入する。
ことを特徴とする請求項２に記載の連動式逆回転二重錠前。
【発明の詳細な説明】
【技術分野】
【０００１】
本発明は、ドア等を２つの錠前により二重ロックする二重錠前に関する。詳しくは、２つの錠前を連動させ、施錠・解錠による回転方向を互いに逆回転とするとともに、解錠順序も固定化することにより、不正解錠にかかる所要時間の増加を図った連動式逆回転二重錠前に係るものである。
【背景技術】
【０００２】
従来提供されている二重錠前は、図８に示すように、シリンダー５１ａとかんぬき機構部５１ｂとを有する第１の錠前５１と、同じくシリンダー５２ａとかんぬき機構部５２ｂとを有する第２の錠前５２とが独立して動作するため、次のような問題があった。
第１の問題は、２つの錠前が独立して動作するため、解錠順序が決まっておらず、どちらの錠前からでも解錠可能であった。
第２の問題は、２つの錠前の解錠する回転方向が同じであるため、２つの錠前が同一手順で解錠可能であった。
第３の問題は、異なる錠前を使用する場合、使用者は２種類の鍵が必要であった。
【０００３】
特許文献に開示された二重錠前としては、例えば次のようなようなものがある。
＜特許文献１（特開２００１−１６４８０６号公報）＞
扉に配設される錠箱に対しスライド移動自在に設けられ回転操作されるサムターンにより扉の前端面から進退されるガードボルトと、このガードボルトを突出させる際のサムターンの回転に従動し、ガードボルトが突出した状態で、ストッパーにより回転が規制され、ガードボルトを後退させる方向のキー操作が不能になる第一シリンダー錠と、該第一シリンダー錠に使用される同一のキー又はサムターンにより操作されストッパーの第一シリンダー錠に対する回転規制を解除する第二シリンダー錠とを具備し、屋外側からの操作では、第二シリンダー錠を操作し、第一シリンダー錠の回転規制を解除してからでなくては、第一シリンダー錠によりガードボルトを後退させることができないようにしたもの。
【０００４】
しかし、これによると、先に第二シリンダー錠を操作して第一シリンダー錠の回転規制を解除してからでなければ、扉の解錠ができないものの、解錠する際の第二シリンダー錠及び第一シリンダー錠の回転方向は同じで、しかも、第一シリンダー錠と第二シリンダー錠とが互いに回転を規制する構造にはなっていない。
【０００５】
＜特許文献２（特開２００１−２６２８７６号公報）＞
屋外側からのキー操作によりロック部材を進退させる第一シリンダー錠と、この第一シリンダー錠に連動連結される係合爪と、この係合爪に係合する係合位置と係合爪に係合しない非係合位置との間を移動自在な係合片と、一方のスライド停止位置で係合片を非係合位置に移動させ第一シリンダー錠を回転自在とし、他方のスライド停止位置で係合片を係合位置に移動させ第一シリンダー錠の回転を阻止するスライドボードと、屋外側からのキー操作によりスライドボードをスライドさせる第二シリンダー錠と、屋内側に設けられロック部材を進退させるサムターンと、屋内側に設けられ第二シリンダー錠に連動しスライドボードをスライドさせる回転操作片とを具備し、屋外側及び屋内側から必要に応じてダブルロック，シングルロックの各状態に切換操作ができる一方、屋内側からは１サムターンでの施解錠操作を可能としたもの。
【０００６】
しかし、ダブルロック状態になっている場合に屋外側から解錠するには、第二シリンダー錠をキーにて操作し、第一シリンダー錠の回転の阻止状態を一時的に解除してから行い、その一時的解除状態で第一シリンダー錠を施錠操作すると、再びダブルロック状態を保持するようになっているが、これも、解錠する際の第二シリンダー錠及び第一シリンダー錠の回転方向は同じで、しかも、第一シリンダー錠と第二シリンダー錠とが互いに回転を規制する構造にはなっていない。
【０００７】
＜特許文献３（特開２００４−１０７９４１号公報）＞
ドアに組込んだ第１のシリンダー錠に連動し、ドア枠に設けた受座に出没自在に嵌合する第１のデッドボルトと、この近傍に設けられた第２のシリンダー錠と、この第２のシリンダー錠に連動し、第１のデッドボルトに、上下方向に出没自在に嵌合する第２のデッドボルトとからなり、第１のシリンダー錠を施錠した状態で第２のシリンダー錠を施錠することにより、第２のデッドボルトが第１のデッドボルトに嵌合してロックするもの。
【０００８】
しかし、これも、解錠する際の第２のシリンダー錠及び第１のシリンダー錠の回転方向は同じで、しかも、第１のシリンダー錠と第２のシリンダー錠とが互いに回転を規制する構造にはなっていない。
【特許文献１】特開２００１−１６４８０６号公報
【特許文献２】特開２００１−２６２８７６号公報
【特許文献３】特開２００４−１０７９４１号公報
【発明の開示】
【発明が解決しようとする課題】
【０００９】
本発明の目的は、同一鍵を使用する２つの錠前を逆回転構造とし、且つ、２つの錠前が連動して互いの動作を拘束することで操作順序を固定化し、使用者の複雑な操作なしで不正解錠のリスクを従来よりも低減できるようにすることにある。
【課題を解決するための手段】
【００１０】
請求項１に係る本発明の二重錠前は、同じ鍵で施錠・解錠できるが施錠・解錠によるシリンダーの回転方向が互いに逆回転となっている第１の錠前及び第２の錠前と、第１の錠前のシリンダーの回転に連動し、その解錠時には第２の錠前のシリンダーの回転を拘束し、施錠時には第２の錠前のシリンダーの回転を許容する第１の回転拘束手段と、第２の錠前のシリンダーの回転に連動し、その解錠時には第１の錠前のシリンダーの回転を許容し、施錠時には第１の錠前のシリンダーの回転を拘束する第２の回転拘束手段とを備えてなる。
【００１１】
請求項２に係る発明は、第１及び第２の回転拘束手段を次のような態様としたものである。
第１の回転拘束手段は、第１の錠前のシリンダーに連結され、該シリンダーの施錠・解錠による回転に伴い第２の錠前のシリンダーに向かって進退する第１の制御棒を有し、この第１の制御棒が進出して第２の錠前のシリンダーに設けられた第２の拘束部と係合することにより第２の錠前のシリンダーの回転を拘束し、また、第１の制御棒が後退して第２の拘束部との係合を解除することにより第２の錠前のシリンダーの回転を許容する。
第２の回転拘束手段は、第２の錠前のシリンダーに連結され、該シリンダーの施錠・解錠による回転に伴い第１の錠前のシリンダーに向かって進退する第２の制御棒を有し、この第２の制御棒が進出して第１の錠前のシリンダーに設けられた第１の拘束部と係合することにより第１の錠前のシリンダーの回転を拘束し、また、第２の制御棒が後退して第１の拘束部との係合を解除することにより第１の錠前のシリンダーの回転を許容する。
【００１２】
請求項３に係る発明は、第１及び第２の回転拘束手段を次のような態様としたものである。
第１の回転拘束手段は、第１の錠前のシリンダーの内筒に基端を連結され、該シリンダーの施錠・解錠による回転に伴い第２の錠前のシリンダーに向かって進退する第１の制御棒と、その先端に連結された第１の制御ピンとを有し、この第１の制御棒が進出して第１の制御ピンが第２の錠前のシリンダーの外筒と内筒の間を貫通することにより該内筒の回転を拘束し、また、第１の制御棒が後退して第２の錠前のシリンダーの内筒から抜出することにより該内筒の回転を許容する。
第２の回転拘束手段は、第２の錠前のシリンダーの内筒に基端を連結され、該シリンダーの施錠・解錠による回転に伴い第１の錠前のシリンダーに向かって進退する第２の制御棒と、その先端に連結された第２の制御ピンとを有し、この第２の制御棒が進出して第２の制御ピンが第１の錠前のシリンダーの外筒と内筒の間を貫通することにより該内筒の回転を拘束し、また、第２の制御棒が後退して第１の錠前のシリンダーの内筒から抜出することにより該内筒の回転を許容する。
【００１３】
請求項４に係る発明は、請求項３に係る発明の具体的態様で、第１の制御棒、第１の制御ピン、第２の制御棒、第２の制御ピンを次のような構成とする。
第１の制御棒は、第１の錠前のシリンダーの外筒に設けられたスリットを通じてその外方へ突出する。
第１の制御ピンは、第２の錠前のシリンダーの外筒に設けられた案内部を通じて、第２の錠前のシリンダーの内筒に設けられた第２の拘束穴に挿脱自在に挿入する。
第２の制御棒は、第２の錠前のシリンダーの外筒に設けられたスリットを通じてその外方へ突出する。
第２の制御ピンは、第１の錠前のシリンダーの外筒に設けられた案内部を通じて、第１の錠前のシリンダーの内筒に設けられた第１の拘束穴に挿脱自在に挿入する。
【発明の効果】
【００１４】
本発明によると、同一鍵を使用する２つの錠前が逆回転で且つ連動しているため、第１の錠前はいくら不正な操作をしても解錠することはできず、第２の錠前から先に解錠しなければならないこと、しかも、通常とは逆に回転させなければならないことによって不正解錠にかかる時間を増加できる。また、２つの錠前は同じ鍵を使用するので、使用者は１つの鍵で開閉できる。
【００１５】
請求項２に係る発明によると、第１の錠前のシリンダーの施錠・解錠による回転に伴い第２の錠前のシリンダーに向かって進退する第１の制御棒により第２の錠前のシリンダーの回転を拘束し、第２の錠前のシリンダーの施錠・解錠による回転に伴い第１の錠前のシリンダーに向かって進退する第２の制御棒により第１の錠前のシリンダーの回転を拘束するので、第１の錠前と第２の錠前との連動を簡単な機構により実現できる。
【００１６】
請求項３に係る発明によると、第１及び第２の錠前のそれぞれのシリンダーににおいて制御棒の基端が内筒に連結され、制御棒の先端に連結された制御ピンが制御棒の進出により、相手側の錠前のシリンダーの外筒と内筒との間を貫通することによりその内筒の回転を拘束し、制御棒の後退により制御ピンが内筒から抜出することにより内筒の回転を許容するので、第１及び第２の錠前のシリンダーに対する回転の拘束と回転の許容とを的確に切り換えることができる。
【００１７】
請求項４に係る発明によると、第１及び第２の錠前のそれぞれのシリンダーににおいて、制御棒が自己のシリンダーの外筒に設けられたスリットを通じてその外方へ突出し、制御ピンが相手側のシリンダーの外筒に設けられた案内部を通じて、相手側の内筒に設けられた拘束穴に挿脱自在に挿入するので、シリンダーの内筒の回転による制御棒の進退動作、その進退による制御ピンの挿脱動作をスムーズに且つより確実に行うことができる。
【発明を実施するための最良の形態】
【００１８】
図１において、同一鍵を使用する第１の錠前１０と第２の錠前１１とがドア１に上下に並設され、第１の錠前１０は、そのシリンダー１１を右回りに回転させてそのかんぬき機構部１２により壁２に対して施錠し、第２の錠前１０は、そのシリンダー２１を左回りに回転させてそのかんぬき機構部２２により同様に施錠する。
【００１９】
第１の錠前１０のシリンダー１１と第２の錠前１０のシリンダー２１には、その回転動作と連動する第１の制御棒１３、第２の制御棒２３がそれぞれ連結されており、互いのシリンダー１１・１２の動作を拘束する。すなわち、すべて解錠状態のとき、第１の錠前１０のシリンダー１１は第２の錠前１０の第２の制御棒２３の拘束を受けておらず、施錠できる状態にあり、第２の錠前１０のシリンダー２１は第１の錠前１０の第１の制御棒１３の拘束を受け、施錠できる状態にない。第１の錠前１０を施錠すると、第１の錠前１０の第１の制御棒１３の拘束が解け、第２の錠前１０は施錠できる状態になる。続いて第２の錠前１０を施錠すると、第２の錠前１０の第２の制御棒２３の拘束を受け、第１の錠前１０は動かせなくなる。従って、解錠するときは、第１の錠前１０からは解錠できず、第２の錠前１０から解錠する。
【００２０】
このようにして、同一鍵を使用する２つの錠前１０・２０が逆回転で且つ連動しているため、第１の錠前１０はいくら不正な操作をしても解錠することはできず、第２の錠前１０から先に解錠しなければならないこと、且つ通常とは逆に回転させなければならないことによって不正解錠にかかる時間を増加できる。
【実施例１】
【００２１】
本発明の実施例１として、ここでは原理を説明するため、錠の構造は簡略化し、通常のドア錠前の構成要素、すなわちラッチボルト、デッドボルト（かんぬき）、サムターン、受座、ハンドルは省略し、シリンダーと、締具として掛け金式かんぬきと、シリンダーの動きを制御する要素との基本構造で表現する。また、シリンダーと鍵の構造については特にこだわるものでなく、通常利用されているものであるので、詳しくは説明しない。
【００２２】
図１に示すように、本実施例は２つの錠前、すなわち第１の錠前１０と第２の錠前２０が扉１のフロント面に対し上下に平行に位置している。
第１の錠前１０は、第１のシリンダー１１と第１のかんぬき機構部１２と第１の制御棒１３で構成されている。第２の錠前２０は、同様に第２のシリンダー２１と第２のかんぬき機構部２２と第２の制御棒２３で構成されている。
【００２３】
第１の錠前１０において、第１のかんぬき機構部１２と第１の制御棒１３は第１のシリンダー１１に連結され、第１のシリンダー１１の回転運動に応じて第１のかんぬき機構部１２は回転し、第１の制御棒１３は第２の錠前２０の第２のシリンダー２１に向かって進退する。同様に、第２の錠前２０において、第２のかんぬき機構部２２と第２の制御棒２３は第２のシリンダー２１に連結され、第２のシリンダー２１の回転運動に応じて第２のかんぬき機構部２２は回転し、第２の制御棒２３は第１の錠前１０の第１のシリンダー１１に向かって進退する。
【００２４】
第１のシリンダー１１には、第２の錠前２０の第２の制御棒２３による拘束を受けるための第１の拘束穴１４が形成されている。同様に、第２のシリンダー１２には、第１の錠前１０の第１の制御棒１３による拘束を受けるための第２の拘束穴２４が形成されている。
【００２５】
第１の錠前１０と第２の錠前２０の鍵は共通であるが、第１の錠前１０の第１のシリンダー１１と第２の錠前２０の第２のシリンダー２１の回転方向は逆方向である。すなわち、施錠するとき、第１の錠前１０が右回り（時計方向）であれば、第２の錠前２０は左回り（反時計方向）とし、解錠するとき、第１の錠前１０が左回りであれば、第２の錠前２０は右回りとする。
【００２６】
第１のかんぬき機構部１２及び第２のかんぬき機構部２２は、それぞれのシリンダー１１・２１の回転に応じて回転し、施錠するときは、回りきったところで、壁２の受側に到達し、ドア１が施錠される。なお、この実施例１では特に構成として重要ではないので単純な回転式の掛け金風で表現しているが、ドアの場合は通常のデッドボルト式となる。
【００２７】
第１の制御棒１３は、基端が第１のシリンダー１１に連結され、先端部が第２のシリンダー２１の回転を拘束するときに、第２のシリンダー２１の第２の拘束穴２４に挿入される。第１の制御棒１３の第１のシリンダー１１との連結部分は回転する機構とし、第１の制御棒１３の先端は第１のシリンダー１１が回転しても同心円状の弧を描くことなく、第１の制御棒１３の先端は第２のシリンダー２１の第２の拘束穴２４に向かう。
同様に、第２の制御棒２３は、基端が第２のシリンダー２１に連結され、先端部が第１のシリンダー１１の回転を拘束するときに、第１のシリンダー１１の第１の拘束穴１４に挿入される。第２の制御棒２３の第２のシリンダー２１との連結部分は回転する機構とし、第２の制御棒２３の先端は第２のシリンダー２１が回転しても同心円状の弧を描くことなく、第２の制御棒２３の先端は第１のシリンダー１１の第１の拘束穴１４に向かう。
【００２８】
第１の錠前１０及び第２の錠前２０が共に解錠状態のとき、第１の錠前１０の第１の制御棒１３の先端部が第２の錠前２０の第２の拘束穴２４に挿入されていて、第２の錠前２０の第２のシリンダー２１は回転できない。一方、第２の錠前２０の第２の制御棒２３の先端部は第１の錠前１０の第１の拘束穴１４に挿入されていないので、第１の錠前１０の第１のシリンダー１１は回転できる。従って、このときは第１の錠前１０しか施錠できる状態にない。
【００２９】
第１の錠前１０が施錠状態で、第２の錠前２０が解錠状態のとき、第１の錠前１０の第１の制御棒１３の先端部が第２の錠前２０の第２の拘束穴２４から抜けるので、第２の錠前２０の第２のシリンダー２１が回転できるようになる。従って、このときは第２の錠前２０が施錠できる状態になる。
【００３０】
第１の錠前１０及び第２の錠前２０が共に施錠状態のとき、第２の錠前２０の第２の制御棒２３の先端部が第１の錠前１０の第１の拘束穴１４に挿入されていて、第１の錠前１０の第１のシリンダー１１は回転できない。従って、このときは第２の錠前２０しか解錠できる状態にない。
【００３１】
次に、図２、３、４を参照して実施例１の施錠・解錠動作を説明する。なお、シリンダーの動き及びかんぬき機構部の動きについては、通常のシリンダーの動き及びかんぬき機構部と同じであるので説明は省略する。
【００３２】
両錠前１０・２０が解錠状態で、ドア１が施錠されていない状態のとき、図２に示す通り、第１の錠前１０の第１の制御棒１３の先端部が第２の錠前２０の第２の拘束穴２４に挿入されていて、第２の錠前２０の第２のシリンダー２１は回転できない。一方、第２の錠前２０の第２の制御棒２３の先端部は第１の錠前１０の第１の拘束穴１４に挿入されていないので、第１の錠前１０の第１のシリンダー１１は回転できる。従って、第１の錠前１０は右回りに回転させることにより施錠できる状態になっている。
【００３３】
次に、第１の錠前１０を施錠した状態のとき、図３に示す通り、第１の錠前１０を施錠、すなわち第１のシリンダー１１が施錠する方向、図では右回りに回転すると、第１の錠前１０の第１の制御棒１３の先端部が第２の錠前２０の第２の拘束穴２４から抜ける。そうすると、第２の錠前２０の第２のシリンダー２１が回転できるようになる。従って、第２の錠前２０は左回りに回転させることにより施錠できる状態になる。
【００３４】
次に、両錠前１０・２０が施錠状態で、ドア１が施錠されている状態のとき、図４に示す通り、第２の錠前２０を施錠、すなわち第２のシリンダー２１が施錠する方向、図では左回りに回転すると、第２の錠前２０の第２の制御棒２３の先端部が第１の錠前１０の第１の拘束穴１４に挿入される。そうすると、第１の錠前１０の第１のシリンダー１１は回転できなくなる。従って、解錠する場合は、第２の錠前２０から解錠することになる。
【００３５】
ドア１を解錠する場合は、以上の順序とは逆、すなわち、第１の錠前１０は第２の錠前２０で拘束され解錠できず、第２の錠前２０から解錠する。第２の錠前２０を右回りに回転させて解錠すると、第２の制御棒２３の先端部が第１の錠前１０の第１の拘束穴１４から抜け、第１の錠前１０を解錠できる状態になる。続けて、第１の錠前１０を左回りに回転させて解錠する。これで２つの錠前が解錠状態となり、ドア１が解錠される。
【実施例２】
【００３６】
実施例１では原理的な構成のみ説明したが、実施例２では、制御棒をより確実に作用させる具体的構造についても述べる。
図５、図６、図７を参照して実施例２を説明する。
【００３７】
実施例２も、第１の錠前１０と第２の錠前２０の鍵は共通であるが、第１の錠前１０の第１のシリンダー１１と第２の錠前２０の第２のシリンダー２１の回転方向は逆方向である。すなわち、施錠するとき、第１の錠前１０が右回り（時計方向）であれば、第２の錠前２０は左回り（反時計方向）とし、解錠するとき、第１の錠前１０が左回りであれば、第２の錠前２０は右回りとする。
【００３８】
実施例１との構成の違いは、制御棒の先端に制御ピンを連結し、この制御ピンがシリンダーの外筒と内筒の間を貫くことで、内筒の回転を拘束するようにしている。
【００３９】
なお、実施例１と同様、錠前の構造は簡略化し、通常のドア錠前の構成要素、すなわちラッチボルト、デッドボルト（かんぬき）、サムターン、受座、ハンドルは省略し、シリンダーと、締具として掛け金式かんぬきと、シリンダーの動きを制御する要素との基本構造で表現する。また、シリンダーと鍵の構造については特にこだわるものでなく、通常利用されているものであるので、詳しくは説明しない。
【００４０】
図５に示すように、第１の錠前１０は、第１のシリンダー１１と第１のかんぬき機構部１２と第１の制御棒１３で構成されている。第２の錠前２０は、同様に第２のシリンダー２１と第２のかんぬき機構部２２と第２の制御棒２３で構成されている。
【００４１】
第１のかんぬき機構部１２及び第２のかんぬき機構部２２は、それぞれのシリンダー１１・２１の内筒の回転に応じて動作し、施錠するときは、回りきったところで、壁の受側に到達し、ドアが施錠される。なお、この実施例２でも特に構成として重要ではないので省略しているが、ドアの場合は通常のデッドボルト式となる。
【００４２】
第１のシリンダー１１は、内筒１７と外筒１８を有し、さらに通常のシリンダーと同様の機構部分がある。回転可能な内筒１７には、第１のかんぬき機構部１２と第１の制御棒１３が連結されている。また、内筒１７には、第２の錠前２０の第２の制御棒２３による拘束を受けるための第１の拘束穴１４が形成されている。外筒１８には、第１の制御棒１３を突出させるスリット１８ａと、第２の錠前２０の第２の制御棒２３に連結された第２の制御ピン２５を案内する案内部である制御ピンガイド１６とが、外筒１８を貫通して設けられている。
【００４３】
同様に第２のシリンダー２１は、内筒２７と外筒２８を有し、さらに通常のシリンダーと同様の機構部分がある。回転可能な内筒２７には、第２のかんぬき機構部２２と第２の制御棒２３が連結されている。また、内筒２７には、第１の錠前１０の第１の制御棒１３による拘束を受けるための第２の拘束穴２４が形成されている。外筒２８には、第２の制御棒２３を突出させるスリット２８ａと、第１の錠前１０の第１の制御棒１３に連結された第１の制御ピン１５を案内する案内部である制御ピンガイド２６とが、外筒２８を貫通して設けられている。
【００４４】
第１の制御棒１３は、基端が内筒１７に連結され、先端に第１の制御ピン１５を連結している。第１の制御棒１３と内筒１７との連結部分、及び第１の制御棒１３と第１の制御ピン１５との連結部分は回転する機構とし、第１の制御棒１３は、内筒１７の円弧運動を第１の制御ピン１５の直線運動へ変換する機能を果たす。
【００４５】
同様に第２の制御棒２３は、基端が内筒２７に連結され、先端に第２の制御ピン２５を連結している。第２の制御棒２３と内筒２７との連結部分、及び第２の制御棒２３と第２の制御ピン２５との連結部分は回転する機構とし、第２の制御棒２３は、内筒２７の円弧運動を第２の制御ピン２５の直線運動へ変換する機能を果たす。
【００４６】
第１の制御棒１３と第２の制御棒２３とは、シリンダー１１・２１の軸線方向に食い違う位置関係にあり、従って、両シリンダー１１・２１の制御ピンガイド１６・２６同士及び拘束穴１４・２４同士も食い違う位置関係にある。
【００４７】
第１の制御ピン１５は、第１の制御棒１３が進出するのに伴い、第２のシリンダー２１の制御ピンガイド２６を通じて内筒２７の第２の拘束穴２４に挿入され、内筒２７と外筒２８の間を貫くことによって、内筒２７の回転を拘束する。制御ピンガイド２６は、制御ピン１５を直線摺動させながら第２の拘束穴２４へ案内する。
【００４８】
同様に第２の制御ピン２５は、第２の制御棒２３が進出するのに伴い、第１のシリンダー１１の制御ピンガイド１６を通じて内筒１７の第１の拘束穴１４に挿入され、内筒１７と外筒１８の間を貫くことによって、内筒１７の回転を拘束する。制御ピンガイド１６は、制御ピン２５を直線摺動させながら第１の拘束穴１４へ案内する。
【００４９】
実施例２の施錠・解錠動作について説明する。
図５に示す通り、第１の錠前１０及び第２の錠前２０が共に解錠状態のとき、第１の錠前１０の第１の制御棒１３は進出し、その先端の第１の制御ピン１５が、第２の錠前２０の外筒２８と内筒２７との間を貫いて、内筒２７の第２の拘束穴２４へ挿入するので、内筒２７は回転を拘束される。一方、第２の錠前２０の第２の制御棒２３は後退し、その先端の第２の制御ピン２５が、第１の錠前１０の内筒１７の第１の拘束穴１４から抜けて、外筒１８と内筒１７との間を貫かなくなるので、内筒１７は回転を拘束されない。従って、このときは第１の錠前１０しか施錠できる状態にない。
【００５０】
図５に示す状態から図６に示す通り、第１の錠前１０を右回りに回転させて施錠すると、第１の錠前１０の第１の制御棒１３が後退し、その先端の第１の制御ピン１５が、第２の錠前２０の内筒２７の第２の拘束穴２４から抜けて、内筒２７と外筒２８を貫かなくなるので、第２の錠前２０の内筒２７が回転できるようになる。従って、第２の錠前２０は施錠できる状態になる。
【００５１】
図６に示す状態から図７に示す通り、第２の錠前２０を左回りに回転させて施錠すると、第２の錠前２０の第２の制御棒２３が進出し、その先端の第２の制御ピン２５が第１の錠前１０の外筒１８と内筒１７との間を貫いて内筒１７の第１の拘束穴１４に挿入するので、第１の錠前１０の内筒１７は回転できない。従って、第２の錠前２０しか解錠できる状態にない。
【００５２】
ドアを解錠する場合は、以上の手順とは逆、すなわち、第１の錠前１０は、第２の錠前２０からの第２の制御棒２３の作用で拘束され解錠できないので、第２の錠前２０から解錠する。第２の錠前２０を解錠すると第２の制御棒２３が後退し、第２の制御ピン２５が第１の錠前１０の外筒１８と内筒１７との間を貫かなくなるので、第１の錠前１０の内筒１７が回転できるようになり、第１の錠前１０を解錠できる状態になる。そこで、第１の錠前１０を解錠すると、両錠前１０・２０が解錠状態となり、ドアが解錠される。
なお、実施例２で、内筒の円弧運動を制御ピン１５・２５の直線運動へ変換する機能として制御棒１３・２３を用いたが、歯車の組み合わせでも良い。
【産業上の利用可能性】
【００５３】
本発明はドアのほか、セキュリティボックス、ケース、ロッカーなどにも適用できる。
【図面の簡単な説明】
【００５４】
【図１】本発明の実施例１の概略構成図である。
【図２】実施例１において第１及び第２の両錠前が解錠状態の動作説明図である。
【図３】同じく第１の錠前が施錠状態、第２の錠前が解錠状態の動作説明図である。
【図４】同じく第１及び第２の両錠前が施錠状態の動作説明図である。
【図５】実施例２において第１及び第２の両錠前が解錠状態の動作説明図で、（Ａ）は正面から見た図、（Ｂ）は側面から見た図である。
【図６】同じく第１の錠前が施錠状態、第２の錠前が解錠状態の動作説明図で、（Ａ）は正面から見た図、（Ｂ）は側面から見た図である。
【図７】同じく第１及び第２の両錠前が施錠状態の動作説明図で、（Ａ）は正面から見た図、（Ｂ）は側面から見た図である。
【図８】従来の二重錠前の模式図である。
【符号の説明】
【００５５】
１  ドア
２  壁
１０  第１の錠前
１１  第１のシリンダー
１２  第１のかんぬき機構部
１３  第１の制御棒
１４  第１の拘束穴
１５  第１の制御ピン
１６  制御ピンガイド
１７  内筒
１８  外筒
１８ａ  スリット
２０  第２の錠前
２１  第２のシリンダー
２２  第２のかんぬき機構部
２３  第２の制御棒
２４  第２の拘束穴
２５  第２の制御ピン
２６  制御ピンガイド
２８ａ  スリット
２７  内筒
２８  外筒
【図１】
2009091845.tif 000003
【図２】
2009091845.tif 000004
【図３】
2009091845.tif 000005
【図４】
2009091845.tif 000006
【図５】
2009091845.tif 000007
【図６】
2009091845.tif 000008
【図７】
2009091845.tif 000009
【図８】
2009091845.tif 000010